(57)【特許請求の範囲】
【請求項１】
立体画像を表示するための立体画像データを受信する画像データ受信部と、
上記画像データ受信部で受信された立体画像データを、伝送路を介して外部機器に送信する画像データ送信部とを備え、
上記画像データ送信部は、
上記画像データ受信部で受信された立体画像データのフォーマットが上記外部機器で取り扱い可能なフォーマットであり、上記外部機器がフォーマット変換をしないで送信することを要求しているとき、上記画像データ受信部で受信された立体画像データを、フォーマットを変換することなく上記外部機器に送信する
画像データ送信装置。
【請求項２】
上記画像データ送信部は、
上記外部機器が取り扱い可能な立体画像データのフォーマット情報と、上記外部機器がフォーマット変換をしないで送信することを要求しているか否かの情報を、上記外部機器が備える記憶部から上記伝送路を介して読み出して取得する
請求項１に記載の画像データ送信装置。
【請求項３】
上記画像データ送信部は、
上記画像データ受信部で受信された立体画像データのフォーマットが上記外部機器で取り扱い可能なフォーマットであり、上記外部機器がフォーマット変換をしないで送信することを要求しているとき、ユーザの許可を得たときには、上記画像データ受信部で受信された立体画像データを、フォーマット変換をすることなく上記外部機器に送信する
請求項１に記載の画像データ送信装置。
【請求項４】
上記画像データ送信部は、
上記画像データ受信部で受信された立体画像データのフォーマットが上記外部機器で取り扱い可能なフォーマットではなく、あるいは上記外部機器がフォーマット変換をしないで送信することを要求していないとき、上記画像データ受信部で受信された立体画像データを、予め設定されたフォーマットに変換して上記外部機器に送信する
請求項１に記載の画像データ送信装置。
【請求項５】
上記画像データ送信部は、
上記画像データ受信部で受信された立体画像データを、差動信号により、上記伝送路を介して、上記外部機器に送信する
請求項１に記載の画像データ送信装置。
【請求項６】
立体画像を表示するための立体画像データを受信する画像データ受信ステップと、
上記画像データ受信ステップで受信された立体画像データを、伝送路を介して外部機器に送信する画像データ送信ステップとを備え、
上記画像データ送信ステップでは、
上記画像データ受信ステップで受信された立体画像データのフォーマットが上記外部機器で取り扱い可能なフォーマットであり、上記外部機器がフォーマット変換をしないで送信することを要求しているとき、上記画像データ受信ステップで受信された立体画像データを、フォーマットを変換することなく上記外部機器に送信する
画像データ送信方法。
【請求項７】
外部機器から、伝送路を介して立体画像を表示するための立体画像データを受信する画像データ受信部と、
上記外部機器が上記伝送路を介して読み出し可能で、少なくとも、取り扱い可能な立体画像データのフォーマット情報およびフォーマット変換をしないで立体画像データを送信することを要求するか否かの情報が記憶される記憶部と
を備える画像データ受信装置。
【請求項８】
外部機器から、差動信号により、第１の伝送路を介して立体画像を表示するための立体画像データを受信する画像データ受信部と、
上記外部機器が第２の伝送路を介して読み出し可能で、少なくとも、取り扱い可能な立体画像データのフォーマット情報およびフォーマット変換をしないで立体画像データを送信することを要求するか否かの情報が記憶される記憶部と
を備える画像データ受信装置。
【発明の詳細な説明】
【技術分野】
【０００１】
この発明は、画像データ送信装置、画像データ送信方法および画像データ受信装置に関し、特に、放送局などから受信された立体画像データを外部機器に送信する画像データ送信装置等に関する。
【背景技術】
【０００２】
従来、放送局から立体画像データを表示するための立体画像データを送信し、この立体画像データをセットトップボックス（ＳＴＢ：Set Top Box）で受信し、そして、このセットトップボックスからテレビ受信機（ＴＶ：Television）にＨＤＭＩ（High Definition MultimediaInterface）規格などのデジタルインタフェースで立体画像データを送信することが知られている。例えば、非特許文献１には、ＨＤＭＩ規格の詳細についての記載がある。
【０００３】
放送局からの立体画像データの送信フォーマットには、例えば、「Frame Sequential」方式、「Top & Bottom」方式、「Side By Side」方式などがある。Frame Sequential」方式では、左眼画像データと右眼画像データとがフレーム毎に順次切換えて送信される。また、「Top & Bottom」方式では、垂直方向の前半では左眼画像データの各ラインのデータが送信され、垂直方向の後半では右眼画像データの各ラインのデータが伝送される。さらに、「Side By Side」方式では、水平方向の前半では左眼画像データのピクセルデータが伝送され、水平方向の後半では右眼画像データのピクセルデータが伝送される。
【０００４】
従来、セットトップボックスでは、放送局からの立体画像データを、予め定められたフォーマットに変換する処理が行われ、処理後の立体画像データがテレビ受信機に送信されるようになされている。そして、テレビ受信機内では、表示解像度に合わせたフォーマットに変換されて使用される。
【０００５】
図１２は、放送局、セットトップボックスおよびテレビ受信機の流れにおける立体画像データのフォーマット変化例を示している。
【０００６】
例えば、放送局から１２８０×７２０の７２０Ｐの立体画像データが送信される。セットトップボックスでは、この立体画像データに対してフォーマット変換処理が施され、１９２０×５４０の１０８０ｉの立体画像データとされて、テレビ受信機に送信される。テレビ受信機では、この立体画像データに対して、フォーマット変換処理が施され、１９２０×１０８０の１０８０Ｐの立体画像データとされる。
【０００７】
また、例えば、放送局から１２８０×７２０の７２０Ｐ  Ｔ＆Ｂ（Top & Bottom）の立体画像データが送信される。セットトップボックスでは、この立体画像データに対してフォーマット変換処理が施され、１９２０×５４０の１０８０ｉ  Ｔ＆Ｂの立体画像データとされて、テレビ受信機に送信される。テレビ受信機では、この立体画像データに対して、フォーマット変換処理が施され、１９２０×１０８０の１０８０Ｐの立体画像データとされる。
【０００８】
また、例えば、放送局から１２８０×７２０の７２０Ｐ  ＳＢＳ（Side By Side）の立体画像データが送信される。セットトップボックスでは、この立体画像データに対してフォーマット変換処理が施され、１９２０×５４０の１０８０ｉ  ＳＢＳの立体画像データとされて、テレビ受信機に送信される。テレビ受信機では、この立体画像データに対して、フォーマット変換処理が施され、１９２０×１０８０の１０８０Ｐの立体画像データとされる。
【先行技術文献】
【非特許文献】
【０００９】
【非特許文献１】High-Definition Multimedia Interface Specification Version 1.4,June5 2009
【発明の概要】
【発明が解決しようとする課題】
【００１０】
上述した放送局、セットトップボックスおよびテレビ受信機の流れにおける立体画像データのフォーマット変化例においては、セットトップボックスでライン数が５４０ラインに間引かれるため、画質劣化を招いている。特に、Ｔ＆Ｂ（Top & Bottom）の立体画像データの場合には、テレビ受信機で使用される最終的なライン数に対して１／４（２７０／１０８０）にまで間引かれることで、画質劣化が顕著となる。
この発明の目的は、不必要なフォーマット変換による画質劣化を防止することにある。
【課題を解決するための手段】
【００１１】
この発明の概念は、
立体画像を表示するための立体画像データを受信する画像データ受信部と、
上記画像データ受信部で受信された立体画像データを、伝送路を介して外部機器に送信する画像データ送信部とを備え、
上記画像データ送信部は、
上記画像データ受信部で受信された立体画像データのフォーマットが上記外部機器で取り扱い可能なフォーマットであるとき、上記画像データ受信部で受信された立体画像データを、フォーマットを変換することなく上記外部機器に送信する
画像データ送信装置にある。
【００１２】
この発明においては、画像データ受信部により、立体画像を表示するための立体画像データが受信される。画像データ受信部では、例えば、放送信号から、立体画像データの受信が行われる。また、画像データ受信部では、例えば、ストリーミングサーバからネットワークを介して、立体画像データの受信が行われる。この立体画像データは、画像データ送信部により、伝送路を介して、外部機器に送信される。立体画像データは、例えば、差動信号により、伝送路を介して、外部機器に送信される。外部機器とは、例えば、ＨＤＭＩなどのデジタルインタフェースで接続される。
【００１３】
画像データ送信部では、画像データ受信部で受信された立体画像データのフォーマットが外部機器で取り扱い可能なフォーマットであるとき、画像データ受信部で受信された立体画像データが、フォーマット変換されることなく、外部機器に送信される。そのため、この発明においては、不必要なフォーマット変換を行うことなく、画像データ受信部で受信された立体画像データを外部機器に送信でき、画質劣化を防止できる。
【００１４】
この発明において、例えば、画像データ受信部で受信された立体画像データのフォーマットが外部機器で取り扱い可能なフォーマットであり、外部機器がフォーマット変換をしないで送信することを要求しているとき、画像データ受信部で受信された立体画像データを、フォーマットを変換することなく外部機器に送信する、ようにしてもよい。この場合、画像データ受信部で受信された立体画像データのフォーマットが外部機器で取り扱い可能なフォーマットであっても、外部機器がそのままのフォーマットによる送信を要求していないときは、例えば、予め設定された所定のフォーマットに変換されて送信される。
【００１５】
この発明において、例えば、画像データ送信部は、外部機器が取り扱い可能な立体画像データのフォーマット情報と、外部機器がフォーマット変換をしないで送信することを要求しているか否かの情報を、外部機器が備える記憶部から、伝送路を介して読み出して取得する、ようにしてもよい。この場合、ユーザの情報入力の手間を省略でき、ユーザの使い勝手の向上を図ることができる。
【００１６】
また、この発明において、例えば、画像データ送信部は、画像データ受信部で受信された立体画像データのフォーマットが外部機器で取り扱い可能なフォーマットであり、外部機器がフォーマット変換をしないで送信することを要求しているとき、ユーザの許可を得たときには、画像データ受信部で受信された立体画像データを、フォーマット変換をすることなく外部機器に送信する、ようにしてもよい。この場合、画像データ受信部で受信された立体画像データのフォーマットが外部機器で取り扱い可能なフォーマットであっても、ユーザが許可しないときは、例えば、予め設定された所定のフォーマットに変換されて送信される。
【００１７】
また、この発明において、例えば、画像データ送信部は、画像データ受信部で受信された立体画像データのフォーマットが外部機器で取り扱い可能なフォーマットではなく、あるいは外部機器がフォーマット変換をしないで送信することを要求していないとき、画像データ受信部で受信された立体画像データを、予め設定されたフォーマットに変換して外部機器に送信する、ようにしてもよい。この場合、外部機器には、予め設定されたフォーマットに変換されて送信されることから、外部機器での取り扱いが可能となる。
【００１８】
また、この発明の他の概念は、
外部機器から、伝送路を介して立体画像を表示するための立体画像データを受信する画像データ受信部と、
上記外部機器が、上記伝送路を介して読み出し可能で、少なくとも、取り扱い可能な立体画像データのフォーマット情報およびフォーマット変換をしないで立体画像データを送信することを要求するか否かの情報が記憶される記憶部と
を備える画像データ受信装置にある。
【００１９】
この発明においては、データ受信部と記憶部とが備えられている。データ受信部により、外部機器から、伝送路を介して立体画像を表示するための立体画像データが受信される。記憶部には、外部機器が読み出し可能に、少なくとも、取り扱い可能な立体画像データのフォーマット情報、およびフォーマット変換をしないで立体画像データを送信することを要求するか否かの情報が記憶されている。
【００２０】
外部機器は、記憶部からの情報を読み出すことにより、取り扱い可能な立体画像データのフォーマットを把握でき、また、フォーマット変換をしないで立体画像データを送信することを要求しているか否かを把握できる。そのため、外部機器は、例えば、受信立体画像データのフォーマットが取り扱い可能なフォーマットであって、そのままのフォーマットによる送信を要求している場合には、当該受信立体画像データをそのままのフォーマットで送信してくる。そのため、この発明においては、外部機器は不必要なフォーマット変換を行うことなく、受信立体画像データを送信でき、フォーマット変換に伴う画質劣化を防止できる。
【発明の効果】
【００２１】
この発明によれば、立体画像データを受信した送信側では、不必要なフォーマット変換を行うことなく、その立体画像データを受信側に送信でき、フォーマット変換に伴う画質劣化を防止できる。
【図面の簡単な説明】
【００２２】
【図１】この発明の実施の形態としての立体画像表示システムの構成例を示すブロック図である。
【図２】立体画像表示システムを構成するセットトップボックスの構成例を示すブロック図である。
【図３】ＣＰＵのフォーマット変換の制御処理の手順の一例を示すフローチャートである。
【図４】ＣＰＵのフォーマット変換の制御処理の手順の他の例を示すフローチャートである。
【図５】立体画像表示システムを構成するテレビ受信機の構成例を示すブロック図である。
【図６】立体画像表示システムにおける、セットトップボックスのＨＤＭＩ送信部（ＨＤＭＩソース）と、テレビ受信機のＨＤＭＩ受信部（ＨＤＭＩシンク）の構成例を示す図である。
【図７】テレビ受信機に含まれるＥ−ＥＤＩＤの構造（Block1以降、ＨＤＭＩ用拡張部分）を示す図である。
【図８】“Video Data Block”の各“CEA Short VideoDescriptor”の詳細を示す図である。
【図９】「Video Format」と「Video Identification Code（Video ID Code）の対応関係（一部抜粋）を示す図である。
【図１０】ＥＤＩＤ構造内のVendor Specific Data Block(ＶＳＤＢ)の構造を示す図である。
【図１１】「3D_structure」の各値が示す３Ｄフォーマットを示す図である。
【図１２】放送局、セットトップボックスおよびテレビ受信機の流れにおける立体画像データのフォーマット変化例を示す図である。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［立体画像表示システムの構成例］
図１は、実施の形態としての立体画像表示システム１０の構成例を示している。この立体画像表示システム１０は、放送局１００と、セットトップボックス（ＳＴＢ：Set Top Box）２００と、テレビ受信機３００を有している。
【００２５】
セットトップボックス２００およびテレビ受信機３００は、ＨＤＭＩ(High Definition Multimedia Interface)ケーブル４００を介して接続されている。セットトップボックス２００には、ＨＤＭＩ端子２０２が設けられている。テレビ受信機３００には、ＨＤＭＩ端子３０２が設けられている。ＨＤＭＩケーブル４００の一端はセットトップボックス２００のＨＤＭＩ端子２０２に接続され、このＨＤＭＩケーブル４００の他端はテレビ受信機３００のＨＤＭＩ端子３０２に接続されている。
【００２６】
［放送局の説明］
放送局１００は、ビットストリームデータを放送波にのせて送信する。このビットストリームデータには、立体画像を表示するための立体画像データと、その立体画像データに対応した音声データなどが含まれる。放送局からの立体画像データの送信フォーマットは、例えば、「Frame Sequential」方式、「Top & Bottom」方式、「Side By Side」方式などとされる。
【００２７】
［セットトップボックスの説明］
セットトップボックス２００は、放送局１００から放送波にのせて送信されてくるビットストリームデータ（トランスポートストリーム）を受信する。このビットストリームデータには、上述したように、立体画像データ、音声データなどが含まれている。セットトップボックス２００は、ビットストリーム処理部２０１を有している。このビットストリーム処理部２０１は、ビットストリームデータから、立体画像データ、音声データなどを抽出する。
【００２８】
図２は、セットトップボックス２００の構成例を示している。このセットトップボックス２００は、ビットストリーム処理部２０１と、ＨＤＭＩ端子２０２と、アンテナ端子２０３と、デジタルチューナ２０４と、映像信号処理回路２０５と、ＨＤＭＩ送信部２０６と、音声信号処理回路２０７を有している。また、このセットトップボックス２００は、ＣＰＵ２１１と、フラッシュＲＯＭ２１２と、ＤＲＡＭ２１３と、内部バス２１４と、リモコン受信部２１５と、リモコン送信機２１６を有している。
【００２９】
ＣＰＵ２１１は、セットトップボックス２００の各部の動作を制御する。フラッシュＲＯＭ２１２は、制御ソフトウェアの格納およびデータの保管を行う。ＤＲＡＭ２１３は、ＣＰＵ２１１のワークエリアを構成する。ＣＰＵ２１１は、フラッシュＲＯＭ２１２から読み出したソフトウェアやデータをＤＲＡＭ２１３上に展開してソフトウェアを起動させ、セットトップボックス２００の各部を制御する。
【００３０】
リモコン受信部２１５は、リモコン送信機２１６から送信されたリモーコントロール信号（リモコンコード）を受信し、ＣＰＵ２１１に供給する。ＣＰＵ２１１は、このリモコンコードに基づいて、セットトップボックス２００の各部を制御する。ＣＰＵ２１１、フラッシュＲＯＭ２１２およびＤＲＡＭ２１３は内部バス２１４に接続されている。
【００３１】
アンテナ端子２０３は、受信アンテナ（図示せず）で受信されたテレビ放送信号を入力する端子である。デジタルチューナ２０４は、アンテナ端子２０３に入力されたテレビ放送信号を処理して、ユーザの選択チャネルに対応した所定のビットストリームデータ（トランスポートストリーム）を出力する。
【００３２】
ビットストリーム処理部２０１は、上述したように、ビットストリームデータから立体画像データ、音声データなどを抽出する。映像信号処理回路２０５は、ビットストリーム処理部２０１から出力された立体画像データ（受信立体画像データ）に対して、画質調整処理、フォーマット変換処理などを行い、処理後の立体画像データをＨＤＭＩ送信部２０６に供給する。
【００３３】
映像信号処理回路２０５は、以下の場合には、受信立体画像データのフォーマットを、フォーマット変換をせずに、そのままのフォーマットでＨＤＭＩ送信部２０６に供給する。すなわち、テレビ受信機３００で取り扱い可能で、しかも、テレビ受信機３００がフォーマット変換をしないで送信することを要求している場合である。また、映像信号処理回路２０５は、その他の場合には、受信立体画像データを、そのフォーマットを予め例えばユーザによって設定されたフォーマットに変換して、ＨＤＭＩ送信部２０６に供給する。
【００３４】
例えば、受信立体画像データのフォーマットが、「1280×720の720PT&B(Top & Bottom)」である場合を考える。この場合、以下の条件で、映像信号処理回路２０５は、受信立体画像データを、そのままのフォーマットでＨＤＭＩ送信部２０６に供給する。この条件とは、テレビ受信機３００で、「1280×720の720PT&B」のフォーマットの取り扱いが可能で、しかも、このテレビ受信機３００が、フォーマット変換をしないで送信することを要求している、ことである。
【００３５】
また、この場合、以下の条件で、映像信号処理回路２０５は、受信立体画像データを、例えば、「1280×540の1080iT&B」のフォーマットに変換して、ＨＤＭＩ送信部２０６に供給する（図１２参照）。この条件とは、テレビ受信機３００で、「1280×720の720PT&B」のフォーマットの取り扱いが可能でない、ことである。また、この場合、以下の条件で、映像信号処理回路２０５は、受信立体画像データを、例えば、「1280×540の1080iT&B」のフォーマットに変換して、ＨＤＭＩ送信部２０６に供給する（図１２参照）。この条件とは、テレビ受信機３００が、「1280×720の720PT&B」のフォーマットの取り扱いが可能であっても、フォーマット変換をしないで送信することを要求していない、ことである。
【００３６】
上述の映像信号処理回路２０５におけるフォーマット変換処理は、ＣＰＵ２１１の制御のもとに行われる。ＣＰＵ２１１は、後述するように、テレビ受信機３００からＥ−ＥＤＩＤ（Enhanced Extended Display Identification Data）を取得する。そして、ＣＰＵ２１１は、このＥ−ＥＤＩＤに含まれる、取り扱い可能な立体画像データのフォーマット情報、およびフォーマット変換をしないで送信することを要求しているか否かを示す情報（要求情報）に基づいて、制御を行う。
【００３７】
図３のフローチャートは、ＣＰＵ２１１の制御処理の手順の一例を示している。ＣＰＵ２１１は、ステップＳＴ１で処理を開始し、その後、ステップＳＴ２の処理に移る。このステップＳＴ２において、ＣＰＵ２１１は、要求情報に基づいて、テレビ受信機３００がフォーマット変換をしないで送信することを要求しているか否かを判断する。フォーマット変換をしないで送信することを要求しているとき、ＣＰＵ２１１は、ステップＳＴ３の処理に移る。
【００３８】
このステップＳＴ３において、ＣＰＵ２１１は、フォーマット情報に基づいて、受信立体画像データのフォーマットが、テレビ受信機３００で取り扱い可能なフォーマットであるか否かを判断する。取り扱い可能なフォーマットであるとき、ＣＰＵ２１１は、ステップＳＴ４において、受信立体画像データを、そのままのフォーマットでテレビ受信機３００に出力することを決定する。この場合、ＣＰＵ２１１は、受信立体画像データを、そのままのフォーマットでＨＤＭＩ送信部２０６に供給するように、映像信号処理回路２０５を制御する。ＣＰＵ２１１は、ステップＳＴ４の処理の後、ステップＳＴ５において、制御処理を終了する。
【００３９】
ステップＳＴ２でテレビ受信機３００がフォーマット変換をしないで送信することを要求していないとき、ＣＰＵ２１１は、ステップＳＴ６の処理に移る。また、ステップＳＴ３で受信立体画像データのフォーマットがテレビ受信機３００で取り扱い可能なフォーマットでないとき、ＣＰＵ２１１は、ステップＳＴ６の処理に移る。このステップＳＴ６において、ＣＰＵ２１１は、受信立体画像データを、そのフォーマットをユーザ設定のフォーマットに変換して、テレビ受信機３００に出力することを決定する。この場合、ＣＰＵ２１１は、受信立体画像データを、そのフォーマットをユーザ設定フォーマットに変換してＨＤＭＩ送信部２０６に供給するように、映像信号処理回路２０５を制御する。ＣＰＵ２１１は、ステップＳＴ６の処理の後、ステップＳＴ５において、制御処理を終了する。
【００４０】
また、図４のフローチャートは、ＣＰＵ２１１の制御処理の手順の他の一例を示している。この図４において、図３と対応するステップには同一符号を付して示している。ＣＰＵ２１１は、ステップＳＴ３で、受信立体画像データのフォーマットがテレビ受信機３００で取り扱い可能なフォーマットであるとき、ステップＳＴ７の処理に移る。このステップＳＴ７において、ＣＰＵ２１１は、確認画面の表示を行う。この確認画面は、ユーザに、受信立体画像データをそのままのフォーマットでテレビ受信機３００に出力することを確認するためのものである。この確認画面は、テレビ受信機３００に表示される。この場合、映像信号処理回路２０５は、確認画面用の表示信号が重畳された画像データをＨＤＭＩ送信部２０６に送信するように、制御される。
【００４１】
次に、ＣＰＵ２１１は、ステップＳＴ８の処理に移る。このステップＳＴ８において、ＣＰＵ２１１は、受信立体画像データを、そのままのフォーマットでテレビ受信機３００に出力することを、ユーザが許可したか否かを判断する。ユーザが許可をしたとき、ＣＰＵ２１１は、ステップＳＴ４の処理に移り、受信立体画像データを、そのままのフォーマットでテレビ受信機３００に出力することを決定する。一方、ユーザが許可をしないとき、ＣＰＵ２１１は、ステップＳＴ６において、受信立体画像データを、そのフォーマットをユーザ設定のフォーマットに変換して、テレビ受信機３００に出力することを決定する。
【００４２】
この図４のフローチャートのその他のステップの処理は、図３のフローチャートにおける対応するステップの処理と同様である。このように、図４のフローチャートの制御処理では、以下の条件で、映像信号処理回路２０５は、受信立体画像データをユーザ設定フォーマットに変換して送信するように制御される。この条件は、テレビ受信機３００がフォーマット変換をしないで送信することを要求し、しかも、受信立体画像データのフォーマットがテレビ受信機３００で取り扱い可能なフォーマットであっても、ユーザが許可しない、ことである。
【００４３】
音声信号処理回路２０７は、ビットストリーム処理部２０１から出力された音声データに対して必要に応じて音質調整処理等を行い、処理後の音声データをＨＤＭＩ送信部２０６に供給する。ＨＤＭＩ送信部２０６は、ＨＤＭＩに準拠した通信により、ベースバンドの立体画像データおよび音声のデータを、ＨＤＭＩ端子２０２から送出する。このＨＤＭＩ送信部２０６は、立体画像データの取り扱いが可能な状態にある。ＨＤＭＩ送信部２０６は、ＨＤＭＩのＴＭＤＳチャネルで送信するため、画像および音声のデータをパッキングして、ＨＤＭＩ端子２０２に出力する。このＨＤＭＩ送信部２０６の詳細は後述する。
【００４４】
セットトップボックス２００の動作を簡単に説明する。アンテナ端子２０３に入力されたテレビ放送信号はデジタルチューナ２０４に供給される。このデジタルチューナ２０４では、テレビ放送信号が処理されて、ユーザの選択チャネルに対応した所定のビットストリームデータ（トランスポートストリーム）が出力される。
【００４５】
デジタルチューナ２０４から出力されるビットストリームデータは、ビットストリーム処理部２０１に供給される。このビットストリーム処理部２０１では、ビットストリームデータに含まれる立体画像データ、音声データなどが抽出される。このビットストリーム処理部２０１から出力される立体画像データは、映像信号処理回路２０５に供給される。この映像信号処理回路２０５では、ビットストリーム処理部２０１から出力された立体画像データ（受信立体画像データ）に対して、画質調整処理、フォーマット変換処理などが行われる。
【００４６】
映像信号処理回路２０５から出力される処理後の立体画像データは、ＨＤＭＩ送信部２０６に供給される。また、ビットストリーム処理部２０１で得られる音声データは、音声信号処理回路２０７で必要に応じて音質調整処理等が行われた後に、ＨＤＭＩ送信部２０６に供給される。ＨＤＭＩ送信部２０６では、立体画像データおよび音声データがパッキングされ、ＨＤＭＩ端子２０２からＨＤＭＩケーブル４００に送出される。
【００４７】
［テレビ受信機の説明］
図１に戻って、テレビ受信機３００は、セットトップボックス２００からＨＤＭＩケーブル４００を介して送られてくる立体画像データを受信する。このテレビ受信機３００は、３Ｄ信号処理部３０１を有している。この３Ｄ信号処理部３０１は、立体画像データに対して、伝送方式に対応した処理（デコード処理）を行って、左眼画像データおよび右眼画像データを取得する。
【００４８】
図５は、テレビ受信機３００の構成例を示している。このテレビ受信機３００は、３Ｄ信号処理部３０１と、ＨＤＭＩ端子３０２と、ＨＤＭＩ受信部３０３と、アンテナ端子３０４と、デジタルチューナ３０５と、ビットストリーム処理部３０６を有している。また、このテレビ受信機３００は、映像・グラフィック処理回路３０７と、パネル駆動回路３０８と、表示パネル３０９と、音声信号処理回路３１０と、音声増幅回路３１１と、スピーカ３１２を有している。また、このテレビ受信機３００は、ＣＰＵ３２１と、フラッシュＲＯＭ３２２と、ＤＲＡＭ３２３と、内部バス３２４と、リモコン受信部３２５と、リモコン送信機３２６を有している。
【００４９】
ＣＰＵ３２１は、テレビ受信機３００の各部の動作を制御する。フラッシュＲＯＭ３２２は、制御ソフトウェアの格納およびデータの保管を行う。ＤＲＡＭ３２３は、ＣＰＵ３２１のワークエリアを構成する。ＣＰＵ３２１は、フラッシュＲＯＭ３２２から読み出したソフトウェアやデータをＤＲＡＭ３２３上に展開してソフトウェアを起動させ、テレビ受信機３００の各部を制御する。
【００５０】
リモコン受信部３２５は、リモコン送信機３２６から送信されたリモートコントロール信号（リモコンコード）を受信し、ＣＰＵ３２１に供給する。ＣＰＵ３２１は、このリモコンコードに基づいて、テレビ受信機３００の各部を制御する。ＣＰＵ３２１、フラッシュＲＯＭ３２２およびＤＲＡＭ３２３は、内部バス３２４に接続されている。
【００５１】
アンテナ端子３０４は、受信アンテナ（図示せず）で受信されたテレビ放送信号を入力する端子である。デジタルチューナ３０５は、アンテナ端子３０４に入力されたテレビ放送信号を処理して、ユーザの選択チャネルに対応した所定のビットストリームデータ（トランスポートストリーム）を出力する。
【００５２】
ビットストリーム処理部３０６は、図２に示すセットトップボックス２００のビットストリーム処理部２０１と同様の構成とされている。このビットストリーム処理部３０６は、ビットストリームデータから立体画像データ、音声データなどを抽出する。ＨＤＭＩ受信部３０３は、ＨＤＭＩに準拠した通信により、ＨＤＭＩケーブル４００を介してＨＤＭＩ端子３０２に供給される立体画像データおよび音声データを受信する。このＨＤＭＩ受信部３０３は、立体画像データの取り扱いが可能な状態にある。このＨＤＭＩ受信部３０３の詳細は後述する。
【００５３】
３Ｄ信号処理部３０１は、ＨＤＭＩ受信部３０３で受信された、あるいはビットストリーム処理部３０６で得られた立体画像データに対して、デコード処理を行って、左眼画像データおよび右眼画像データを生成する。この場合、３Ｄ信号処理部３０１は、立体画像データに対して、そのフォーマットに対応したデコード処理を行う。映像・グラフィック処理回路３０７は、３Ｄ信号処理部３０１で生成された左眼画像データおよび右眼画像データに基づいて、立体画像を表示するための画像データを生成する。
【００５４】
また、映像・グラフィック処理回路３０７は、画像データに対して、必要に応じて、画質調整処理を行う。また、映像・グラフィック処理回路３０７は、画像データに対して、必要に応じて、メニュー、番組表などの重畳情報のデータを合成する。パネル駆動回路３０８は、映像・グラフィック処理回路３０７から出力される画像データに基づいて、表示パネル３０９を駆動する。表示パネル３０９は、例えば、ＬＣＤ(Liquid Crystal Display)、ＰＤＰ(Plasma DisplayPanel)等で構成されている。
【００５５】
音声信号処理回路３１０は、ＨＤＭＩ受信部３０３で受信された、あるいはビットストリーム処理部３０６で得られた音声データに対してＤ／Ａ変換等の必要な処理を行う。音声増幅回路３１１は、音声信号処理回路３１０から出力される音声信号を増幅してスピーカ３１２に供給する。
【００５６】
図５に示すテレビ受信機３００の動作を簡単に説明する。ＨＤＭＩ受信部３０３では、ＨＤＭＩ端子３０２にＨＤＭＩケーブル４００を介して接続されているセットトップボックス２００から送信されてくる、立体画像データおよび音声データが受信される。このＨＤＭＩ受信部３０３で受信された立体画像データは、３Ｄ信号処理部３０１に供給される。また、このＨＤＭＩ受信部３０３で受信された音声データは音声信号処理回路３１０に供給される。
【００５７】
アンテナ端子３０４に入力されたテレビ放送信号はデジタルチューナ３０５に供給される。このデジタルチューナ３０５では、テレビ放送信号が処理されて、ユーザの選択チャネルに対応した所定のビットストリームデータ（トランスポートストリーム）が出力される。
【００５８】
デジタルチューナ３０５から出力されるビットストリームデータは、ビットストリーム処理部３０６に供給される。このビットストリーム処理部３０６では、ビットストリームデータから立体画像データ、音声データなどが抽出される。ビットストリーム処理部３０６で抽出された立体画像データは、３Ｄ信号処理部３０１に供給される。また、このビットストリーム処理部３０６で抽出された音声データは、音声信号処理回路３１０に供給される。
【００５９】
３Ｄ信号処理部３０１では、ＨＤＭＩ受信部３０３で受信された、あるいはビットストリーム処理部３０６で抽出された立体画像データに対してデコード処理が行われて、左眼画像データおよび右眼画像データが生成される。この左眼画像データおよび右眼画像データは、映像・グラフィック処理回路３０７に供給される。この映像・グラフィック処理回路３０７では、左眼画像データおよび右眼画像データに基づいて、立体画像を表示するための画像データが生成され、必要に応じて、画質調整処理、重畳情報データの合成処理も行われる。
【００６０】
この映像・グラフィック処理回路３０７で得られる画像データはパネル駆動回路３０８に供給される。そのため、表示パネル３０９により立体画像が表示される。例えば、表示パネル３０９に、左眼画像データによる左眼画像および右眼画像データによる右眼画像が交互に時分割的に表示される。視聴者は、表示パネル３０９の表示に同期して左眼シャッタおよび右眼シャッタが交互に開くシャッタメガネを装着することで、左眼では左眼画像のみを見ることができ、右眼では右眼画像のみを見ることができ、立体画像を知覚できる。
【００６１】
また、音声信号処理回路３１０では、ＨＤＭＩ受信部３０３で受信された、あるいはビットストリーム処理部３０６で抽出された音声データに対してＤ／Ａ変換等の必要な処理が施される。この音声データは、音声増幅回路３１１で増幅された後に、スピーカ３１２に供給される。そのため、スピーカ３１２から表示パネル３０９の表示画像に対応した音声が出力される。
【００６２】
［ＨＤＭＩ送信部、ＨＤＭＩ受信部の構成例］
図６は、図１の立体画像表示システム１０における、セットトップボックス２００のＨＤＭＩ送信部（ＨＤＭＩソース）２０６と、テレビ受信機３００のＨＤＭＩ受信部（ＨＤＭＩシンク）３０３の構成例を示している。
【００６３】
ＨＤＭＩ送信部２０６は、有効画像区間（以下、適宜、アクティブビデオ区間ともいう）において、非圧縮の１画面分の画像の画素データに対応する差動信号を、複数のチャネルで、ＨＤＭＩ受信部３０３に一方向に送信する。ここで、有効画像区間は、一の垂直同期信号から次の垂直同期信号までの区間から、水平帰線区間及び垂直帰線区間を除いた区間である。また、ＨＤＭＩ送信部２０６は、水平帰線区間または垂直帰線区間において、少なくとも画像に付随する音声データや制御データ、その他の補助データ等に対応する差動信号を、複数のチャネルで、ＨＤＭＩ受信部３０３に一方向に送信する。
【００６４】
ＨＤＭＩ送信部２０６とＨＤＭＩ受信部３０３とからなるＨＤＭＩシステムの伝送チャネルには、以下の伝送チャネルがある。すなわち、ＨＤＭＩ送信部２０６からＨＤＭＩ受信部３０３に対して、画素データおよび音声データを、ピクセルクロックに同期して、一方向にシリアル伝送するための伝送チャネルとしての、３つのＴＭＤＳチャネル＃０乃至＃２がある。また、ピクセルクロックを伝送する伝送チャネルとしての、ＴＭＤＳクロックチャネルがある。
【００６５】
ＨＤＭＩ送信部２０６は、ＨＤＭＩトランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル４００を介して接続されているＨＤＭＩ受信部３０３に、一方向にシリアル伝送する。
【００６６】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩ受信部３０３に、一方向にシリアル伝送する。
【００６７】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル４００を介して接続されているＨＤＭＩ受信部３０３に送信する。ここで、１つのＴＭＤＳチャネル＃ｉ（ｉ＝０，１，２）では、ピクセルクロックの１クロックの間に、１０ビットの画素データが送信される。
【００６８】
ＨＤＭＩ受信部３０３は、アクティブビデオ区間において、複数のチャネルで、ＨＤＭＩ送信部２０６から一方向に送信されてくる、画素データに対応する差動信号を受信する。また、このＨＤＭＩ受信部３０３は、水平帰線区間または垂直帰線区間において、複数のチャネルで、ＨＤＭＩ送信部２０６から一方向に送信されてくる、音声データや制御データに対応する差動信号を受信する。
【００６９】
すなわち、ＨＤＭＩ受信部３０３は、ＨＤＭＩレシーバ８２を有する。このＨＤＭＩレシーバ８２は、ＴＭＤＳチャネル＃０，＃１，＃２で、ＨＤＭＩ送信部２０６から一方向に送信されてくる、画素データに対応する差動信号と、音声データや制御データに対応する差動信号を受信する。この場合、ＨＤＭＩ送信部２０６からＴＭＤＳクロックチャネルで送信されてくるピクセルクロックに同期して受信する。
【００７０】
ＨＤＭＩシステムの伝送チャネルには、上述のＴＭＤＳチャネル＃０乃至＃２およびＴＭＤＳクロックチャネルの他に、ＤＤＣ（Display Data Channel）８３やＣＥＣライン８４と呼ばれる伝送チャネルがある。ＤＤＣ８３は、ＨＤＭＩケーブル４００に含まれる図示しない２本の信号線からなる。ＤＤＣ８３は、ＨＤＭＩ送信部２０６が、ＨＤＭＩ受信部３０３から、Ｅ−ＥＤＩＤ（Enhanced Extended Display Identification Data）を読み出すために使用される。
【００７１】
ＨＤＭＩ受信部３０３は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部２０６は、例えば、ＣＰＵ２１１（図２参照）からの要求に応じて、ＨＤＭＩケーブル４００を介して接続されているＨＤＭＩ受信部３０３から、Ｅ−ＥＤＩＤを、ＤＤＣ８３を介して読み出す。
【００７２】
ＨＤＭＩ送信部２０６は、読み出したＥ−ＥＤＩＤをＣＰＵ２１１に送る。ＣＰＵ２１１は、このＥ−ＥＤＩＤを、フラッシュＲＯＭ２１２あるいはＤＲＡＭ２１３に格納する。このＥ−ＥＤＩＤには、上述したように、テレビ受信機３００の取り扱い可能な立体画像データのフォーマット情報、およびテレビ受信機３００がフォーマット変換をしないで送信することを要求しているか否かを示す情報（要求情報）が含まれている。
【００７３】
ＣＥＣライン８４は、ＨＤＭＩケーブル４００に含まれる図示しない１本の信号線からなり、ＨＤＭＩ送信部２０６とＨＤＭＩ受信部３０３との間で、制御用のデータの双方向通信を行うために用いられる。このＣＥＣライン８４は、制御データラインを構成している。
【００７４】
また、ＨＤＭＩケーブル４００には、ＨＰＤ(Hot Plug Detect)と呼ばれるピンに接続されるライン（ＨＰＤライン）８６が含まれている。ソース機器は、当該ライン８６を利用して、シンク機器の接続を検出することができる。なお、このＨＰＤライン８６は双方向通信路を構成するＨＥＡＣ−ラインとしても使用される。また、ＨＤＭＩケーブル４００には、ソース機器からシンク機器に電源を供給するために用いられるライン（電源ライン）８７が含まれている。さらに、ＨＤＭＩケーブル４００には、ユーティリティライン８８が含まれている。このユーティリティライン８８は双方向通信路を構成するＨＥＡＣ＋ラインとしても使用される。
【００７５】
［Ｅ−ＥＤＩＤ構造］
上述したように、ＨＤＭＩ送信部２０６は、例えば、ＣＰＵ２１１（図２参照）からの要求に応じて、ＨＤＭＩケーブル４００を介して接続されているＨＤＭＩ受信部３０３から、Ｅ−ＥＤＩＤを、ＤＤＣ８３を介して読み出す。そして、ＣＰＵ２１１は、このＥ−ＥＤＩＤから、テレビ受信機３００の取り扱い可能な立体画像データのフォーマット情報、およびフォーマット変換をしないで送信することを要求しているか否かを示す情報（要求情報）を取得する。
【００７６】
図７は、ＥＤＩＤ構造（Block1以降、ＨＤＭＩ用拡張部分）を示している。このＥＤＩＤ構造は、詳細説明は省略するが、ＥＩＡ／ＣＥＡ−８６１Ｂ規格で規定されている。
“VideoData Block”の各“CEA Short Video Descriptor”に、テレビ受信機（シンク機器）３００で表示可能なVideo Formatが定義される。図８は、“CEA Short VideoDescriptor”の詳細を示している。表示可能な「Video Data」は７ビットの「ＶＩＣ：Video Identification Code」で指定される。図９は、「VideoFormat」と「Video Identification Code（Video ID Code）の対応関係（一部抜粋）を示している。例えば、１２８０×７２０Ｐのフォーマットにあっては、「Video Identification Code＝４」である。
【００７７】
また、図１０は、ＨＤＭＩ Vendor Specific Data Block(ＶＳＤＢ)の構造例を示している。第０ブロックには、“Vendor-Specific tag code(=3)”で表されるデータ“VenderSpecific”のデータ領域を示すヘッダが配置される。また、この第０ブロックには、“Length(=N)”で表されるデータ“Vender Specific”の長さを示す情報が配置される。また、第１ブロック乃至第３ブロックには、“24bit IEEE Registration Identifier(0x000C03)LSB first”で表されるＨＤＭＩ（Ｒ）用として登録された番号“0x000C03“を示す情報が配置される。
【００７８】
また、第１３ブロックの第７ビットには、“3D_present”で表される立体画像データ（３Ｄ画像データ）の取り扱いが可能か否かを示すフラグが配置されている。また、第１４ブロックの第４ビットから第０ビットには、“HDMI_3D_LEN”で表される、第１５ブロック以降に配置される、必須（mandatory）な３Ｄデータ構造の他に取り扱い可能な３Ｄデータ構造を示すブロックのサイズ情報が配置されている。
【００７９】
必須（mandatory）な３Ｄデータ構造の他に取り扱い可能な３Ｄデータ構造（立体画像データフォーマット）がある場合には、Ｅ−ＥＤＩＤには、以下のように登録が行われる。まず、この３Ｄデータ構造の「Video Identification Code」がｎ番目の“CEA Short VideoDescriptor”に登録される。また、このように「Video Identification Code」が登録された“CEA Short Video Descriptor”の番号が、ＨＤＭＩ ＶＳＤＢのＬ番目の“2D_VIC_order_L”に登録される。さらに、この３Ｄデータ構造の、「3D_structure」が、Ｌ番目の“3D_structure_L”に登録される。
【００８０】
具体的に、必須（mandatory）な３Ｄデータ構造の他に、１２８０×７２０Ｐ  Ｔ＆Ｂの３Ｄデータ構造（立体画像データフォーマット）の取り扱いが可能である場合、Ｅ−ＥＤＩＤには、以下の登録がなされる。まず、「１２８０×７２０Ｐ」は「Video Identification Code＝４」であるので（図９参照）、０番目の“CEA Short Video Descriptor 1”に「４」が登録される。そして、この“CEA Short Video Descriptor 1”の番号である「0000」が、ＨＤＭＩＶＳＤＢの“2D_VIC_order_1”に記載される。また、「Ｔ＆Ｂ」の「3D_structure」は、例えば、図１１に示すように、「0110」である。そのため、“「0110」が、3D_structure_1”に登録される。
【００８１】
また、所定のリザーブビット、この例では、例えば、第１３ブロックの第０ビットに、“3D_not_conv”で表される１ビットのフラグが新たに定義されて配置される。このフラグは、セットトップボックス２００に、受信画像データを、フォーマット変換をしないで送信することを要求するための情報（要求情報）である。“3D_not_conv＝０”であるときは要求しないことを示し、“3D_not_conv＝１”であるときは要求することを示す。
【００８２】
なお、図１０に示すＨＤＭＩ Vendor Specific Data Block(ＶＳＤＢ)の構造例においては、１ビットのフラグ“3D_not_conv”が第１３ブロックの第０ビットに配置されている。しかし、必ずしもこの配置される必要はない。第１３ブロックの第６ビットから第１ビットのうちのいずれか、さらには、その他のブロックのリザーブ状態にあるビット位置に配置されてもよい。
【００８３】
上述したように、図１に示す立体画像表示システム１０において、セットトップボックス２００では、所定の条件を満たすことで、放送局からの受信立体画像データが、フォーマット変換されることなく、そのままのフォーマットでテレビ受信機３００に送信される。ここで、所定の条件とは、受信立体画像データのフォーマットがテレビ受信機３００で取り扱い可能なフォーマットであり、また、テレビ受信機３００がそのままのフォーマットによる送信を要求していることである。そのため、セットトップボックス２００では、不必要なフォーマット変換を行うことなく、受信立体画像データをテレビ受信機３００に送信でき、フォーマット変換に伴う画質劣化を防止できる。
【００８４】
また、図１に示す立体画像表示システム１０において、セットトップボックス２００では、フォーマット変換処理のための情報が、テレビ受信機３００が備えるＥＤＩＤＲＯＭ８５から読み出すことで得られる。この情報は、テレビ受信機３００の取り扱い可能な立体画像データのフォーマット情報、およびテレビ受信機３００がフォーマット変換をしないで送信することを要求しているか否かの情報である。そのため、ユーザの情報入力の手間を省略でき、ユーザの使い勝手の向上を図ることができる。
【００８５】
また、図１に示す立体画像表示システム１０において、セットトップボックス２００では、例えば、上述の所定の条件を満たしていて、さらにユーザの許可を得たときに、受信画像データは、フォーマット変換をされることなくテレビ受信機３００に送信される。この場合、受信立体画像データのフォーマットがテレビ受信機３００で取り扱い可能なフォーマットであっても、ユーザが許可しないことで、例えば、予め設定された所定のフォーマットに変換されて送信される。
【００８６】
また、図１に示す立体画像表示システム１０において、セットトップボックス２００では、上述の所定の条件を満たしていないとき、テレビ受信機３００には、受信立体画像データは、予め設定されたフォーマットに変換されて、テレビ受信機３００に送信される。この場合、予め設定されたフォーマットに変換されて送信されることから、テレビ受信機３００での取り扱いが可能となる。
【００８７】
＜２．変形例＞
なお、上述実施の形態においては、以下の条件で、セットトップボックス２００は、受信立体画像データを、フォーマット変換することなく、そのままのフォーマットでテレビ受信機３００に送信する構成となっている。この条件は、受信立体画像データのフォーマットがテレビ受信機３００で取り扱い可能なフォーマットであり、また、テレビ受信機３００がそのままのフォーマットによる送信を要求している、ことである。
【００８８】
しかし、受信立体画像データのフォーマットがテレビ受信機３００で取り扱い可能なフォーマットであるときには、受信立体画像データを、フォーマット変換することなく、そのままのフォーマットでテレビ受信機３００に送信する構成とすることも考えられる。この場合には、テレビ受信機３００において、ＨＤＭＩＶＳＤＢに、フォーマット変換をしないで送信することを要求しているか否かの情報を配置する必要がなくなる。
【００８９】
また、実施の形態において、セットトップボックス２００では、放送局１００からの放送信号から立体画像データを受信する構成となっている。しかし、セットトップボックス２００は、ストリーミングサーバからネットワークを介して立体画像データを受信することも考えられる。
【００９０】
また、上述実施の形態においては、以下の条件で、セットトップボックス２００は、受信立体画像データを、予め設定されたフォーマットに変換してテレビ受信機３００に送信する構成となっている。この条件は、受信立体画像データのフォーマットがテレビ受信機３００で取り扱い可能なフォーマットではなく、あるいはテレビ受信機３００がフォーマット変換をしないで送信することを要求していない、ことである。しかし、これらのとき、セットトップボックス２００では、受信立体画像データを、テレビ受信機３００でマンダトリー（必須）なフォーマットに変換して、テレビ受信機３００に送信する構成とすることも考えられる。
【００９１】
また、上述実施の形態において、セットトップボックス２００では、デジタルチューナ２０４で受信された立体画像データを直接テレビ受信機３００に送信する構成となっている。しかし、セットトップボックス２００では、デジタルチューナ２０４で受信された立体画像データを図示しないストレージに蓄積しておき、所定のタイミングで、ストレージから立体画像データを読み出してテレビ受信機３００に送信する構成であってもよい。所定のタイミングとは、例えば、ユーザによる再生操作のタイミング等である。
【００９２】
また、上述実施の形態において、セットトップボックス２００はテレビ受信機３００に受信立体画像データを送信する構成となっている。しかし、テレビ受信機３００の代わりに、モニタ装置、あるいはプロジェクタ等に受信立体画像データを送信する構成も考えられる。また、セットトップボックス２００の代わりに、受信機能付きのレコーダ、パーソナルコンピュータ等である構成も考えられる。
【００９３】
また、上述実施の形態において、セットトップボックス２００とテレビ受信機３００はＨＤＭＩケーブル４００で接続されてなるものである。しかし、これらの間が、無線によって接続される構成である場合にも、この発明を同様に適用できることは勿論である。
【産業上の利用可能性】
【００９４】
この発明は、立体画像データを受信し、この立体画像データをＨＤＭＩ等のデジタルインタフェースによりテレビ受信機に送信するセットトップボックス等に適用できる。
【符号の説明】
【００９５】
１０・・・立体画像表示システム
８５・・・ＥＤＩＤ ＲＯＭ
１００・・・放送局
２００・・・セットトップボックス
２０１・・・ビットストリーム処理部
２０２・・・ＨＤＭＩ端子
２０３・・・アンテナ端子
２０４・・・デジタルチューナ
２０５・・・映像信号処理回路
２０６・・・ＨＤＭＩ送信部
２０７・・・音声信号処理回路
２１１・・・ＣＰＵ、
２１２・・・フラッシュＲＯＭ
２１３・・・ＤＲＡＭ
２１４・・・内部バス
２１５・・・リモコン受信部
２１６・・・リモコン送信機
３００・・・テレビ受信機
３０１・・・３Ｄ信号処理部
３０２・・・ＨＤＭＩ端子
３０３・・・ＨＤＭＩ受信部
３０４・・・アンテナ端子
３０５・・・デジタルチューナ
３０６・・・ビットストリーム処理部
３０７・・・映像・グラフィック処理回路
３０８・・・パネル駆動回路
３０９・・・表示パネル、
３１０・・・音声信号処理回路
３１１・・・音声増幅回路
３１２・・・スピーカ
３２１・・・ＣＰＵ
３２２・・・フラッシュＲＯＭ
３２３・・・ＤＲＡＭ
３２４・・・内部バス
３２５・・・リモコン受信部
３２６・・・リモコン送信機
４００・・・ＨＤＭＩケーブル
【図１】
0005577789.tif 000002
【図２】
0005577789.tif 000003
【図３】
0005577789.tif 000004
【図４】
0005577789.tif 000005
【図５】
0005577789.tif 000006
【図６】
0005577789.tif 000007
【図７】
0005577789.tif 000008
【図８】
0005577789.tif 000009
【図９】
0005577789.tif 000010
【図１０】
0005577789.tif 000011
【図１１】
0005577789.tif 000012
【図１２】
0005577789.tif 000013